(57)【要約】      （修正有）【課題】はっきりと表示させる域の視認性を確保したレンチキュラーシートを提供する。【解決手段】基板の一方の面に印刷された合成画像のレンチキュラー域に対応する域にのみレンチキュラーレンズを印刷したので、ロゴタイプ（合成画像の非レンチキュラー域）をレンチキュラーレンズを通さずに見ることが可能であり、はっきりと表示することが要求される域の視認性を確保することができる。【選択図】図１
0003232898.tif 000002
【実用新案登録請求の範囲】
【請求項１】
基板と、前記基板の一方の面に設けられるレンチキュラーレンズと、前記基板の他方の面に設けられる合成画像とを含むレンチキュラーシートであって、
前記合成画像は、レンチキュラー域と、非レンチキュラー域とに分画され、
前記レンチキュラーレンズは、前記レンチキュラー域に対してのみ設けられることを特徴とするレンチキュラーシート。
【考案の詳細な説明】
【技術分野】
【０００１】
本考案は、レンチキュラーレンズを通して合成画像を見ることで視覚効果が得られるレンチキュラーシートに関する。
【背景技術】
【０００２】
例えば、特許文献１には、レンチキュラー印刷によりレンチキュラーシートを製造する技術が開示されている。レンチキュラーシートは、レンチキュラーレンズを通して合成画像を見ることで、３Ｄ効果（絵柄に立体感や遠近感をもたらす）、２Ｄ効果（絵柄の変化や動きをもたらす）等のレンチキュラー効果（視覚効果）が得られ、商品やサービス等の広告媒体として広く用いられる。
【先行技術文献】
【特許文献】
【０００３】
【特許文献１】特開２０１２−８３７５２号公報
【考案の概要】
【考案が解決しようとする課題】
【０００４】
レンチキュラーシートを広告媒体として用いる場合、ロゴタイプ等は、レンチキュラー効果を用いずにはっきりと表示させる必要がある。しかし、従来のレンチキュラーシートは、基板の一方の面の表示域全体にレンチキュラーレンズが設けられていたので、ロゴタイプ等のはっきりと表示させる域もレンチキュラーレンズを通して見ることになり、はっきりと表示させる域の視認性が低下することが問題となる。
【０００５】
そこで、本考案の課題は、はっきりと表示させる域の視認性を確保したレンチキュラーシートを提供することにある。
【課題を解決するための手段】
【０００６】
前記課題を解決するため、本考案は、基板と、前記基板の一方の面に設けられるレンチキュラーレンズと、前記基板の他方の面に設けられる合成画像とを含むレンチキュラーシートであって、前記合成画像は、レンチキュラー域と、非レンチキュラー域とに分画され、前記レンチキュラーレンズは、前記レンチキュラー域に対してのみ設けられることを特徴とすることを特徴とする。
【考案の効果】
【０００７】
本考案によれば、はっきりと表示させる域の視認性を確保したレンチキュラーシートを提供することができる。
【図面の簡単な説明】
【０００８】
【図１】本実施形態に係るレンチキュラーシートの概念図である。
【図２】レンチキュラーシートの製造過程を示す概念図であって、基板に合成画像がインターレース印刷された状態を示す図である。
【図３】本実施形態の説明図であって、画像編集アプリケーションソフトウェアにより作成された画像データ（第１コマ）を示す図である。
【図４】本実施形態の説明図であって、画像編集アプリケーションソフトウェアにより作成された画像データ（第２コマ）を示す図である。
【図５】本実施形態の説明図であって、画像編集アプリケーションソフトウェアにより作成された画像データ（第３コマ）を示す図である。
【図６】本実施形態の説明図であって、画像編集アプリケーションソフトウェアにより作成された画像データ（第４コマ）を示す図である。
【図７】本実施形態の説明図であって、画像編集アプリケーションソフトウェアにより作成されたロゴタイプ（非レンチキュラー域）の画像データを示す図である。
【考案を実施するための形態】
【０００９】
本考案の一実施形態を添付した図を参照して説明する。
本実施形態では、幾つかのレンチキュラー効果のうち、見る角度を変化させることで絵柄が動いて見えるアニメーション効果（２Ｄ効果）が得られるレンチキュラーシートを例示するが、対象をアニメーション効果が得られるレンチキュラーシートに限定することを意図するものではない。
【００１０】
図１に示されるように、レンチキュラーシート１は、基板３と、基板３の表面５（一方の面）に設けられるレンチキュラーレンズ１０と、基板３の裏面６（他方の面）に設けられる合成画像２０とを有する。基板３は、アクリル板、ＰＥＴ（ポリエチレンテレフタレート）等の透明性が高い平板状の材料が用いられる。
【００１１】
合成画像２０は、レンチキュラーレンズ１０を通して見ることでレンチキュラー効果（アニメーション効果）が得られる域（以下「レンチキュラー域」と称する）と、レンチキュラーレンズ１０を通さずにはっきりと表示させる域（以下「非レンチキュラー域」と称する）とに分画される。なお、本実施形態では、非レンチキュラー域にロゴタイプ２７が配置される。
【００１２】
合成画像２０のインターレースイメージデータ（レンチキュラーデータ）は、例えば、ＰＨＯＴＯＳＨＯＰ（登録商標）等の画像編集アプリケーションソフトウェアにより作成された画像データ２１乃至２４（図３乃至図６参照）を、インターレースイメージ作成アプリケーションソフトウェアにより処理することで作成される。なお、４コマの連続する画像データ２１乃至２４には、ロゴタイプ２７が設けられる。
【００１３】
また、合成画像２０のレンチキュラー印刷データは、合成画像２０のインターレースイメージデータと、例えば、ＰＨＯＴＯＳＨＯＰ（登録商標）等の画像編集アプリケーションソフトウェアにより作成されたロゴタイプ２７（非レンチキュラー域）のみの画像データ２５とを、レンチキュラー印刷データ作成アプリケーションソフトウェアにより処理することで作成される。なお、画像データ２５は、レンチキュラー域が黒色で表示され、非レンチキュラー域に配置されたロゴタイプ２７が白抜きで表示される。
【００１４】
そして、作成されたレンチキュラー印刷データを利用して、基板３の裏面６（他方の面）に合成画像２０を印刷し（図２参照）、その後、基板３の裏面６の表示域（外枠を除いた部分）全面にホワイトインクによりホワイト層を形成する。次に、基板３を裏返し、同一の印刷装置により、基板３の表面５（一方の面）にレンチキュラーレンズ１０を印刷（形成）する。ここで、本実施形態では、レンチキュラーレンズ１０は、合成画像２０のレンチキュラー域に対応する域にのみ印刷され、合成画像２０の非レンチキュラー域に対応する域には印刷（形成）されない。
【００１５】
なお、レンチキュラーレンズ１０及び合成画像２０の印刷には、例えば、ＵＶオフセット印刷装置、ＵＶインクジェット印刷装置、インクジェット印刷装置、３Ｄプリンタ等が用いられる。
【００１６】
従来のレンチキュラーシートは、基板の表面（一方の面）の表示域全体にレンチキュラーレンズが設けられていたので、例えば、レンチキュラーシートを広告媒体として用いる場合、ロゴタイプ等のはっきりと表示させることが要求される域（非レンチキュラー域）をレンチキュラーレンズを通して見るため、ロゴタイプ等のはっきりと表示させることが要求される域の視認性が低下していた。
【００１７】
そこで、本実施形態では、基板３の表面５（一方の面）の、基板３の裏面６（他方の面）に印刷された合成画像２０のレンチキュラー域に対応する域にのみ、レンチキュラーレンズ１０を印刷し、合成画像２０のロゴタイプ２７（非レンチキュラー域）に対応する域にはレンチキュラーレンズ１０を印刷しないようにレンチキュラーシート１を構成した。
よって、本実施形態では、ロゴタイプ２７（合成画像２０の非レンチキュラー域）をレンチキュラーレンズ１０を通さずに見ることが可能であり、はっきりと表示することが要求される域の視認性を確保することができる。
また、本実施形態では、レンチキュラーレンズ１０と合成画像２０とを、同一の印刷装置（図示省略）により基板３の表面５と裏面６とに印刷したので、レンチキュラーレンズ１０を合成画像２０に対して高い精度で配置することが可能であり、レンチキュラーシート１のレンチキュラー効果を向上させることができる。
【符号の説明】
【００１８】
１  レンチキュラーシート、３  基板、５  表面（一方の面）、６  裏面（他方の面）、１０  レンチキュラーレンズ、２０  合成画像、２７  ロゴタイプ（非レンチキュラー域）
【図１】
0003232898.tif 000003
【図２】
0003232898.tif 000004
【図３】
0003232898.tif 000005
【図４】
0003232898.tif 000006
【図５】
0003232898.tif 000007
【図６】
0003232898.tif 000008
【図７】
0003232898.tif 000009